(57)【要約】  本発明の態様は、狭帯域領域中のリソースを識別すること、狭帯域領域が送信時間間隔（ＴＴＩ）においてわずか単一のリソースブロックにわたり、そして識別されたリソースを使用して基地局と通信することと、を備える、ユーザ機器（ＵＥ）によるワイヤレス通信に関する。
2018524888.tif 000002
【特許請求の範囲】
【請求項１】
ユーザ機器（ＵＥ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して基地局と通信することと
を備える、方法。
【請求項２】
前記ＵＥが第１のタイプであり、および
前記狭帯域領域が、第２のタイプのＵＥによる通信のために使用される広帯域領域のリソース内に位置する、
請求項１に記載の方法。
【請求項３】
前記ＵＥが第１のタイプであり、および
前記狭帯域領域が、第２のタイプのＵＥによる通信のために使用される広帯域領域のリソースの外部の別個のコンポーネントキャリア内に位置する、
請求項１に記載の方法。
【請求項４】
前記狭帯域領域の前記ロケーションを示すリソースブロックオフセットのシグナリングを受信すること
をさらに備える、請求項２に記載の方法。
【請求項５】
前記通信することが、
前記識別されたリソース上で前記基地局から、セル固有基準信号、ブロードキャスト情報、同期信号、のうちの少なくとも１つを受信すること
を備える、請求項１に記載の方法。
【請求項６】
前記通信することが、
前記識別されたリソース上で物理ランダムアクセスチャネル（ＰＲＡＣＨ）を送信すること
を備える、請求項１に記載の方法。
【請求項７】
所与のＴＴＩにおいて単一のＵＥが前記識別されたリソースのすべてを利用するように、マルチプル（multiple）ＵＥが前記狭帯域領域中で時分割多重化される、請求項１に記載の方法。
【請求項８】
マルチプル（multiple）ＵＥが所与のＴＴＩにおいて前記識別されたリソースを共有するように、マルチプル（multiple）ＵＥが前記狭帯域領域中で周波数分割多重化される、請求項１に記載の方法。
【請求項９】
少なくとも１つの制御チャネルと少なくとも１つのデータチャネルとが複数のＴＴＩ上で時分割多重化される、請求項１に記載の方法。
【請求項１０】
少なくとも１つの制御チャネルと少なくとも１つのデータチャネルとが所与のＴＴＩ内で時分割多重化される、請求項１に記載の方法。
【請求項１１】
少なくとも１つの制御チャネルと少なくとも１つのデータチャネルとが所与のＴＴＩ内で周波数分割多重化される、請求項１に記載の方法。
【請求項１２】
前記通信することが、
前記識別されたリソース上で物理ダウンリンク制御チャネル（ＰＤＣＣＨ）を受信すること
を備える、請求項１に記載の方法。
【請求項１３】
前記通信することが、
前記識別されたリソース上で物理ダウンリンク共有チャネル（ＰＤＳＣＨ）を受信すること
を備える、請求項１に記載の方法。
【請求項１４】
少なくともいくつかのＴＴＩが物理アップリンク制御チャネル（ＰＵＣＣＨ）送信のために利用可能であり、および
少なくともいくつかのＴＴＩが物理ランダムアクセスチャネル（ＰＲＡＣＨ）送信のために利用可能である、
請求項１に記載の方法。
【請求項１５】
前記通信することが、
前記識別されたリソースを使用してアクセスまたはシステム同期補足(system acquisition)のうちの少なくとも１つを実行すること
を備える、請求項１に記載の方法。
【請求項１６】
基地局（ＢＳ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して少なくとも１つのユーザ機器（ＵＥ）と通信することと
を備える、方法。
【請求項１７】
前記少なくとも１つのＵＥが第１のタイプであり、および
前記狭帯域領域が、第２のタイプのＵＥによる通信のために使用される広帯域領域のリソース内に位置する、
請求項１６に記載の方法。
【請求項１８】
前記少なくとも１つのＵＥが第１のタイプであり、および
前記狭帯域領域が、第２のタイプのＵＥによる通信のために使用される広帯域領域のリソースの外部の別個のコンポーネントキャリア内に位置する、
請求項１６に記載の方法。
【請求項１９】
前記狭帯域領域の前記ロケーションを示すリソースブロックオフセットのシグナリングを前記少なくとも１つのＵＥに送ること
をさらに備える、請求項１７に記載の方法。
【請求項２０】
前記通信することが、
前記識別されたリソース上で前記基地局から、セル固有基準信号、ブロードキャスト情報、同期信号のうちの少なくとも１つを送信すること
を備える、請求項１６に記載の方法。
【請求項２１】
前記通信することが、
前記識別されたリソース上で物理ランダムアクセスチャネル（ＰＲＡＣＨ）を受信すること
を備える、請求項１６に記載の方法。
【請求項２２】
所与のＴＴＩにおいて単一のＵＥが前記識別されたリソースのすべてを利用するように、マルチプル（multiple）ＵＥが前記狭帯域領域中で時分割多重化される、請求項１６に記載の方法。
【請求項２３】
所与のＴＴＩにおいてマルチプル（multiple）ＵＥが前記識別されたリソースを共有するように、マルチプル（multiple）ＵＥが前記狭帯域領域中で周波数分割多重化される、請求項１６に記載の方法。
【請求項２４】
少なくとも１つの制御チャネルと少なくとも１つのデータチャネルとが複数のＴＴＩ上で時分割多重化される、請求項１６に記載の方法。
【請求項２５】
少なくとも１つの制御チャネルと少なくとも１つのデータチャネルとが所与のＴＴＩ内で時分割多重化される、請求項１６に記載の方法。
【請求項２６】
少なくとも１つの制御チャネルと少なくとも１つのデータチャネルとが所与のＴＴＩ内で周波数分割多重化される、請求項１６に記載の方法。
【請求項２７】
前記通信することが、
前記識別されたリソース上で物理ダウンリンク制御チャネル（ＰＤＣＣＨ）を送信すること
を備える、請求項１６に記載の方法。
【請求項２８】
前記通信することが、
前記識別されたリソース上で物理ダウンリンク共有チャネル（ＰＤＳＣＨ）を送信すること
を備える、請求項１６に記載の方法。
【請求項２９】
少なくともいくつかのＴＴＩが物理アップリンク制御チャネル（ＰＵＣＣＨ）送信を受信するために利用可能であり、
少なくともいくつかのＴＴＩが物理ランダムアクセスチャネル（ＰＲＡＣＨ）送信を受信するために利用可能である、
請求項１６に記載の方法。
【請求項３０】
前記通信することが、
前記少なくとも１つのＵＥとともに前記識別されたリソースを使用してアクセスまたはシステム同期補足のうちの少なくとも１つに参加すること
を備える、請求項１６に記載の方法。
【請求項３１】
ワイヤレス通信のための装置であって、
狭帯域領域中のリソースを識別することと、前記狭帯域領域が送信時間間隔（ＴＴＩ）においてわずか単一のリソースブロックにわたる、および
前記識別されたリソースを使用して基地局と通信することと
を行うように構成された少なくとも１つのプロセッサと、
前記少なくとも１つのプロセッサに結合されたメモリと
を備える、装置。
【請求項３２】
ワイヤレス通信のための装置であって、
狭帯域領域中のリソースを識別することと、前記狭帯域領域が、送信時間間隔（ＴＴＩ）においてわずか単一のリソースブロックにわたる、および
前記識別されたリソースを使用して少なくとも１つのユーザ機器（ＵＥ）と通信することと
を行うように構成された少なくとも１つのプロセッサと、
前記少なくとも１つのプロセッサに結合されたメモリと
を備える、装置。
【請求項３３】
ワイヤレス通信のための装置であって、
狭帯域領域中のリソースを識別するための手段と、前記狭帯域領域が、送信時間間隔（ＴＴＩ）においてわずか単一のリソースブロックにわたる、
前記識別されたリソースを使用して基地局と通信するための手段と
を備える、装置。
【請求項３４】
ワイヤレス通信のための装置であって、
狭帯域領域中のリソースを識別するための手段と、前記狭帯域領域が、送信時間間隔（ＴＴＩ）においてわずか単一のリソースブロックにわたる、
前記識別されたリソースを使用して少なくとも１つのユーザ機器（ＵＥ）と通信するための手段と
を備える、装置。
【請求項３５】
ワイヤレス通信のためのコンピュータ可読媒体であって、
狭帯域領域中のリソースを識別するためのコードと、前記狭帯域領域が、送信時間間隔（ＴＴＩ）においてわずか単一のリソースブロックにわたる、
前記識別されたリソースを使用して基地局と通信するためのコードと
を備える、コンピュータ可読媒体。
【請求項３６】
ワイヤレス通信のためのコンピュータ可読媒体であって、
狭帯域領域中のリソースを識別するためのコードと、前記狭帯域領域が、送信時間間隔（ＴＴＩ）においてわずか単一のリソースブロックにわたる、
前記識別されたリソースを使用して少なくとも１つのユーザ機器（ＵＥ）と通信するためのコードと
を備える、コンピュータ可読媒体。
【発明の詳細な説明】
【関連出願の参照】
【０００１】
[0001]本出願は、２０１５年６月１６日に出願された米国仮特許出願第６２／１８０，５９９号、および２０１６年６月１５日に出願された米国特許出願第１５／１８３，７０２号の優先権を主張し、その両方が本出願の譲受人に譲渡され、参照により本明細書に明確に組み込まれる。
【０００２】
分野
[0002]本開示は、一般に通信システムに関し、より詳細には、通信のためのロングタームエボリューション（ＬＴＥ（登録商標））コンパチブル超狭帯域（ＶＮＢ：very narrow band）設計に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の態様は、ＬＴＥコンパチブル超狭帯域設計のための機構を提供する。
【０００６】
[0006]本開示のいくつかの態様は、ユーザ機器（ＵＥ）によるワイヤレス通信のための方法を提供する。本方法は、概して、狭帯域領域中のリソースを識別することと、狭帯域領域が、送信時間間隔（ＴＴＩ：transmission time interval）においてわずか単一のリソースブロックにわたる、識別されたリソースを使用して基地局と通信することとを含む。
【０００７】
[0007]本開示のいくつかの態様は、基地局（ＢＳ）によるワイヤレス通信のための方法を提供する。本方法は、概して、狭帯域領域中のリソースを識別することと、狭帯域領域が、送信時間間隔（ＴＴＩ）においてわずか単一のリソースブロックにわたる、識別されたリソースを使用して少なくとも１つのユーザ機器（ＵＥ）と通信することとを含む。
【０００８】
[0008]本開示のいくつかの態様は、ワイヤレス通信のための装置を提供する。本装置は、概して、狭帯域領域中のリソースを識別することと、狭帯域領域が、送信時間間隔（ＴＴＩ）においてわずか単一のリソースブロックにわたる、識別されたリソースを使用して基地局と通信することとを行うように構成された少なくとも１つのプロセッサと、少なくとも１つのプロセッサに結合されたメモリとを含む。
【０００９】
[0009]本開示のいくつかの態様は、ワイヤレス通信のための装置を提供する。本装置は、概して、狭帯域領域中のリソースを識別することと、狭帯域領域が、送信時間間隔（ＴＴＩ）においてわずか単一のリソースブロックにわたる、識別されたリソースを使用して少なくとも１つのユーザ機器（ＵＥ）と通信することとを行うように構成された少なくとも１つのプロセッサと、少なくとも１つのプロセッサに結合されたメモリとを含む。
【００１０】
[0010]本開示のいくつかの態様は、ワイヤレス通信のための装置を提供する。本装置は、概して、狭帯域領域中のリソースを識別するための手段と、狭帯域領域が、送信時間間隔（ＴＴＩ）においてわずか単一のリソースブロックにわたる、識別されたリソースを使用して基地局と通信するための手段とを含む。
【００１１】
[0011]本開示のいくつかの態様は、ワイヤレス通信のための装置を提供する。本装置は、概して、狭帯域領域中のリソースを識別するための手段と、狭帯域領域が、送信時間間隔（ＴＴＩ）においてわずか単一のリソースブロックにわたる、識別されたリソースを使用して少なくとも１つのユーザ機器（ＵＥ）と通信するための手段とを含む。
【００１２】
[0012]本開示のいくつかの態様は、ワイヤレス通信のためのコンピュータ可読媒体を提供する。本コンピュータ可読媒体は、概して、狭帯域領域中のリソースを識別するためのコードと、狭帯域領域が、送信時間間隔（ＴＴＩ）においてわずか単一のリソースブロックにわたる、識別されたリソースを使用して基地局と通信するためのコードとを含む。
【００１３】
[0013]本開示のいくつかの態様は、ワイヤレス通信のためのコンピュータ可読媒体を提供する。本コンピュータ可読媒体は、概して、狭帯域領域中のリソースを識別するためのコードと、狭帯域領域が、送信時間間隔（ＴＴＩ）においてわずか単一のリソースブロックにわたる、識別されたリソースを使用して少なくとも１つのユーザ機器（ＵＥ）と通信するためのコードとを含む。
【図面の簡単な説明】
【００１４】
【図１】[0014]本開示の一態様による、電気通信システムの一例を概念的に示すブロック図。
【図２】[0015]本開示のいくつかの態様による、アクセスネットワークの一例を示す図。
【図３】[0016]本開示のいくつかの態様による、ＬＴＥにおけるＤＬフレーム構造の一例を示す図。
【図４】[0017]本開示のいくつかの態様による、ＬＴＥにおけるＵＬフレーム構造の一例を示す図。
【図５】[0018]本開示のいくつかの態様による、ユーザおよび制御プレーンのための無線プロトコルアーキテクチャの一例を示す図。
【図６】[0019]本開示のいくつかの態様による、アクセスネットワーク中の発展型ノードＢおよびユーザ機器の一例を示す図。
【図７】[0020]本開示のいくつかの態様による、別個のキャリア内の例示的な狭帯域フレーム構造を示す図。
【図８】[0021]広帯域ＬＴＥキャリアのガードバンド内の狭帯域フレーム構造を示す図。
【図９】[0022]広帯域ＬＴＥキャリア内の例示的な狭帯域フレーム構造を示す図。
【図１０】広帯域ＬＴＥキャリア内の例示的な狭帯域フレーム構造を示す図。
【図１１】[0023]本開示のいくつかの態様による、ワイヤレス通信のための動作を示す図。
【図１２】[0024]本開示のいくつかの態様による、ワイヤレス通信のための動作を示す図。
【詳細な説明】
【００１５】
[0025]従来のＬＴＥ実装形態は、１．４ＭＨｚから２０ＭＨｚまでに及ぶ様々なシステム帯域幅をサポートする。最小の１．４ＭＨｚ帯域幅は、１／２ミリ秒スロットごとに６つのリソースブロックをサポートする。６リソースブロック最小は、中心の６つのリソースブロックを占有する、物理ブロードキャストチャネル（ＰＢＣＨ：physical broadcast channel）、２次同期信号（ＳＳＳ：secondary synchronization signal）、１次同期信号（ＰＳＳ：primary synchronization signal）である。しかしながら、いくつかのサービスおよび低電力デバイスは、無線帯域幅使用を最小限に抑えるか、または電力要件を低減するために、超低帯域幅通信技法から恩恵を受け得る。たとえば、そのようなサービスおよびデバイスは、マシンタイプ通信（ＭＴＣ：machine type communication(s)）または拡張ＭＴＣ（ｅＭＴＣ）を含み得る。
【００１６】
[0026]本開示の態様は、ＴＴＩ（たとえば、１ｍｓまたは１つのサブフレーム）における単一のリソースブロックにわたる狭帯域送信のための技法を提供する。さらに、本明細書で開示される技法は、既存のＬＴＥ展開と共存するか、またはＬＴＥ機能を拡張および再利用し得る。ＬＴＥ、ＬＴＥ−Ａ（ＬＴＥアドバンスト）、およびＬＴＥの他世代または将来世代は、一般にＬＴＥと呼ばれる。
【００１７】
[0027]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００１８】
[0028]次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１９】
[0029]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、（１つまたは複数の）アルゴリズム、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
[0030]最初に図１を参照すると、図は、本開示の一態様による、ワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク１３２を通してコアネットワーク１３０と制御情報および／またはユーザデータを通信し得る。例では、アクセスポイント１０５は、ワイヤードまたはワイヤレス通信リンクであり得るバックホールリンク１３４を介して互いと直接または間接的のいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２１】
[0031]いくつかの例では、ワイヤレス通信システム１００の少なくとも一部分は複数の階層レイヤ上で動作するように構成され得、それはＵＥ１１５のうちの１つまたは複数と、アクセスポイント１０５のうちの１つまたは複数とが、別の階層レイヤに関しては低減されたレイテンシを有する階層レイヤ上の送信をサポートするように構成され得る。いくつかの例では、ハイブリッドＵＥ１１５−ａは、第１のサブフレームタイプを用いた第１のレイヤ送信をサポートする第１の階層レイヤと、第２のサブフレームタイプを用いた第２のレイヤ送信をサポートする第２の階層レイヤの両方の上で、アクセスポイント１０５−ａと通信し得る。たとえば、アクセスポイント１０５−ａは、第１のサブフレームタイプのサブフレームと時分割複信された第２のサブフレームタイプのサブフレームを送信し得る。
【００２２】
[0032]いくつかの例では、アクセスポイント１０５−ａは、たとえば、ＨＡＲＱスキームを通した伝送についてのＡＣＫ／ＮＡＣＫを与えることによって、送信の受信を確認し得る。第１の階層レイヤにおける送信についてのアクセスポイント１０５−ａからの確認応答は、いくつかの例では、送信が受信されたサブフレームに続くあらかじめ定義された数のサブフレームの後に与えられ得る。ＡＣＫ／ＮＡＣＫを送信し、再送信を受信するために必要とされる時間は、ラウンドトリップ時間（ＲＴＴ）と呼ばれ、したがって、第２のサブフレームタイプのサブフレームは、第１のサブフレームタイプのサブフレームのためのＲＴＴよりも短い第２のＲＴＴを有し得る。
【００２３】
[0033]他の例では、第２のレイヤＵＥ１１５−ｂは、第２の階層レイヤ上のみでアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤ上のみで通信し得るＵＥ１１５の第１のクラスに属し得る。したがって、第２のレイヤＵＥ１１５−ｂは、第１の階層レイヤ上で動作するＵＥ１１５と比較して低減されたレイテンシで動作し得る。
【００２４】
[0034]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は同じまたは異なるアクセスネットワークまたは事業者展開に関連付けられ得る。同じまたは異なるタイプのアクセスポイント１０５のカバレージエリアを含み、同じまたは異なる無線技術を利用し、および／あるいは同じまたは異なるアクセスネットワークに属する、異なるアクセスポイント１０５のカバレージエリアは重複し得る。
【００２５】
[0035]ＬＴＥネットワーク通信システムでは、発展型ノードＢ（ｅノードＢまたはｅＮＢ）という用語は、概して、アクセスポイント１０５を表すために使用され得る。ワイヤレス通信システム１００は、異種（Heterogeneous）ＬＴＥ／ＵＬＬ（超低レイテンシ）ＬＴＥネットワークであり得、それは異なるタイプのアクセスポイントが様々な地理的領域にカバレージを与える。たとえば、各アクセスポイント１０５は、通信カバレージをマクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２６】
[0036]コアネットワーク１３０は、バックホール１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、アクセスポイント１０５は同様のフレームタイミングを有し得、異なるアクセスポイント１０５からの送信は近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されることもされないこともある。本明細書で説明される技法は、同期動作または非同期動作のいずれかのために使用され得る。
【００２７】
[0037]ＵＥ１１５はワイヤレス通信システム１００全体にわたって分散され、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、ウェアラブル（たとえば、スマートウォッチ、スマートブレスレット、スマートグラス、バーチャルリアリティゴーグル、スマートリング、スマートクロージング）、ゲームデバイス、エンターテインメントデバイス、カメラ、音楽プレーヤ、医療デバイス、ヘルスケアデバイス、車両デバイス、ナビゲーション／測位デバイスなどがあり得る。いくつかのＵＥは、基地局、別のデバイス（たとえば、リモートデバイス）、または何らかの他のエンティティと通信し得る、拡張または発展型マシンタイプ通信（ｅＭＴＣ）ＵＥと見なされ得る。ＭＴＣは、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。ＭＴＣ  ＵＥは、ドローン、ロボット／ロボティックデバイス、センサー、メーター、カメラ、モニタ、ロケーションタグなどを含み得る。ＭＴＣ  ＵＥ、ならびに他のタイプのＵＥは、ＮＢ−ＩｏＴ（狭帯域モノのインターネット）デバイスなど、あらゆるモノのインターネット（ＩｏＥ）またはモノのインターネット（ＩｏＴ）デバイスを含み得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００２８】
[0038]ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通して、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のための同じまたは異なるサービングセル上の２つまたはそれ以上のコンポーネントキャリアを利用し得る。ＣｏＭＰは、ネットワークおよびスペクトル利用を増加させると同様にＵＥ１１５のための全体的な送信品質を改善するための、いくつかのアクセスポイント１０５による送信および受信の協調のための技法を含み得る。
【００２９】
[0039]上述のように、いくつかの例では、アクセスポイント１０５およびＵＥ１１５は、複数のキャリア上で送信するために、キャリアアグリゲーション（ＣＡ）を利用し得る。いくつかの例では、アクセスポイント１０５およびＵＥ１１５は、２つまたはそれ以上の別個のキャリアを使用して、第１のサブフレームタイプを各々が有する１つまたは複数のサブフレームを、フレーム内で、第１の階層レイヤにおいて一斉に（concurrently）に送信し得る。各キャリアは、たとえば、２０ＭＨｚの帯域幅を有し得るが、他の帯域幅が利用され得る。ハイブリッドＵＥ１１５−ａおよび／または第２のレイヤＵＥ１１５−ｂは、いくつかの例では、別個のキャリアのうちの１つまたは複数の帯域幅よりも大きい帯域幅を有する単一のキャリアを利用して、第２の階層レイヤにおいて１つまたは複数のサブフレームを受信および／または送信し得る。たとえば、４つの別個の２０ＭＨｚキャリアが第１の階層レイヤにおいてキャリアアグリゲーション方式で使用される場合、単一の８０ＭＨｚキャリアが、第２の階層レイヤにおいて使用され得る。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのためのスケーラブル（scalable）な帯域幅は、さらに拡張されたデータレートを与えるために、上記で説明されたようなより短いＲＴＴを与えるために他の技法と組み合わせられ得る。
【００３０】
[0040]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００３１】
[0041]図２は、本開示のいくつかの態様による、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）などのスモールセルであり得る。マクロｅＮＢ２０４は各々、それぞれのセル２０２に割り当てられ、セル２０２中のすべてのＵＥ２０６に発展型パケットコア（ＥＰＣ）へのアクセスポイントを与えるように構成される。同様に、ＵＥ２０６のうちの１つまたは複数は、データ構造を使用して、動作、復号、送信、するように構成されたアップリンク送信機構成要素６６１を含み得る。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００３２】
[0042]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００３３】
[0043]ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、データの異なるストリームを同じ周波数上で同時に送信するために使用され得る。データスチームは、データレートを増加させるために単一のＵＥ２０６に送信されるか、または全体的なシステム容量を増加させるためにマルチプル（multiple）ＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００３４】
[0044]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームのビームフォーミング送信が使用され得る。
【００３５】
[0045]以下の詳細な説明では、ＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉を抑えるために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３６】
[0046]図３は、本開示のいくつかの態様による、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソース要素ブロックを含む。リソースグリッドは複数のリソース要素（ＲＥ）に分割される。ＬＴＥでは、リソース要素ブロックは、周波数領域中に１２個の連続するサブキャリアを含んでおり、各ＯＦＤＭシンボル中のノーマルサイクリックプレフィックスについて、時間領域中に７つの連続するＯＦＤＭシンボルを含んでおり、すなわち８４個のリソース要素を含んでいることがある。拡張サイクリックプレフィックスについて、リソース要素ブロックは、時間領域中に６つの連続するＯＦＤＭシンボルを含んでいることがあり、７２個のリソース要素を有する。Ｒ３０２、３０４として示されているリソース要素のうちのいくつかはＤＬ基準信号（ＤＬ−ＲＳ：DL reference signal）を含む。ＤＬ−ＲＳは、セル固有ＲＳ（ＣＲＳ：Cell-specific RS）（共通ＲＳと呼ばれることもある）３０２と、ＵＥ固有ＲＳ（ＵＥ−ＲＳ：UE-specific RS）３０４とを含む。ＵＥ−ＲＳ３０４は、対応するＰＤＳＣＨがマッピングされるリソース要素ブロック上でのみ送信される。各リソース要素によって搬送されるビット数は変調方式に依存する。したがって、ＵＥが受信するリソース要素ブロックが多いほど、また変調方式が高いほど（the higher the modulation scheme）、ＵＥのデータレートは高くなる。
【００３７】
[0047]ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、それぞれ、ノーマルサイクリックプレフィックス（normal cyclic prefix）をもつ各無線フレームのサブフレーム０および５中のシンボル期間６および５中に送信され得る。ＰＳＳおよびＳＳＳは、セル探索および同期補足(acquisition)のためにＵＥによって使用され得る。ｅＮＢは、ｅＮＢによってサポートされる各セルについてシステム帯域幅上でセル固有基準信号（ＣＲＳ）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００３８】
[0048]図４は、本開示のいくつかの態様による、ＬＴＥにおけるＵＬフレーム構造の一例を示す図４００である。ＵＬのための利用可能なリソース要素ブロックは、データセクションと制御セクションとに区分され得る。制御セクションは、システム帯域幅の２つのエッジにおいて形成され得、構成可能なサイズを有し得る。制御セクション中のリソース要素ブロックは、制御情報の送信のためにＵＥに割り当てられ得る。データセクションは、制御セクション中に含まれないすべてのリソース要素ブロックを含み得る。ＵＬフレーム構造は連続サブキャリアを含むデータセクションを生じ得、それは単一のＵＥがデータセクション中の連続サブキャリアのすべてを割り当てられることを可能にし得る。
【００３９】
[0049]ＵＥは、ｅＮＢに制御情報を送信するために、制御セクション中のリソース要素ブロック４１０ａ、４１０ｂを割り当てられ得る。ＵＥは、ｅＮＢにデータを送信するために、データセクション中のリソース要素ブロック４２０ａ、４２０ｂをも割り当てられ得る。ＵＥは、制御セクション中の割り当てられたリソース要素ブロック上の物理ＵＬ制御チャネル（ＰＵＣＣＨ）中で制御情報を送信し得る。ＵＥは、データセクション中の割り当てられたリソース要素ブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００４０】
[0050]物理ランダムアクセスチャネル（ＰＲＡＣＨ：physical random access channel）４３０中でＵＬ同期を達成、および初期システムアクセスを実行するために、リソース要素ブロックのセットが使用され得る。ＰＲＡＣＨ４３０は、ランダムシーケンスを搬送し、いかなるＵＬデータ／シグナリングをも搬送しないことがある。各ランダムアクセスプリアンブルは、６つの連続するリソース要素ブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試み（The PRACH attempt）は単一のサブフレーム（１ｍｓ）中でまたは少数の連続サブフレームのシーケンス中で搬送され、そして、ＵＥは、フレーム（１０ｍｓ）ごとに単一のＰＲＡＣＨ試みのみを行うことができる。
【００４１】
[0051]図５は、本開示のいくつかの態様による、ＬＴＥにおけるユーザおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００４２】
[0052]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンド（far end）ＵＥ、サーバなど）において終端されるアプリケーションレイヤとを含めてＬ２レイヤ５０８の上にいくつかの上位レイヤを有し得る。
【００４３】
[0053]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順序が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソース要素ブロック）を割り振ることを担当する。ＭＡＣサブレイヤ５１０はまた、ＨＡＲＱ動作を担当する。
【００４４】
[0054]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００４５】
[0055]図６は、本開示のいくつかの態様による、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ＵＥ６５０への無線リソース割振り、論理チャネルとトランスポートチャネルとの間の多重化、パケットのセグメンテーションおよび並べ替え、暗号化、ヘッダ圧縮を行う。コントローラ／プロセッサ６７５はまた、ＨＡＲＱ動作と、紛失パケットの再送信と、ＵＥ６５０へのシグナリングとを担当する。コントローラ／プロセッサ６７５は、ｅＮＢ６１０の様々な動作（たとえば、図１２に関連して示される動作）を指示し／行うことができる。
【００４６】
[0056]送信（ＴＸ）プロセッサ６１６は、Ｌ１レイヤ（物理レイヤ）のための様々な信号処理機能を実装する。信号処理機能は、ＵＥ６５０における前方誤り訂正（ＦＥＣ：forward error correction）を容易にするためのインターリービングとコーディングおよび様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを含む。コーディングされ、変調されたシンボルは、次いで並列ストリームに分割される。各ストリームは、次いで、ＯＦＤＭサブキャリアにマッピングされ、時間領域および／または周波数領域中で基準信号（たとえば、パイロット）と多重化され、次いで時間領域ＯＦＤＭシンボルストリームを搬送する物理チャネルを生成するため、逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。さらに、ｅＮＢ６１０は、本開示の態様によれば、いくつかのＵＥ６５０との制御情報およびユーザデータの通信を迅速化するように構成されたアップリンクスケジューリング構成要素６０２を含み得る。
【００４７】
[0057]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボル、および基準信号は、ｅＮＢ６１０によって送信される可能性が最も高い信号コンスタレーションポイントを決定することによって復調されそして復元される。これらの軟判定は、チャネル推定器６５８によって計算されるチャネル推定値に基づき得る。軟判定は、次いで、物理チャネル上でｅＮＢ６１０によって最初に送信（originally transmitted）されたデータと制御信号とを復元するためにデインターリーブされそして復号される。データおよび制御信号は、次いで、コントローラ／プロセッサ６５９に与えられる。
【００４８】
[0058]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、制御信号処理、ヘッダ復元、解読、パケットリアセンブリ、トランスポートチャネルと論理チャネルとの間の多重分離を、行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。コントローラ／プロセッサ６５９は、ＵＥ６５０の様々な動作（たとえば、図１１に関連して示される動作）を指示するかまたは行うことができる。さらに、ＵＥ６５０は、本開示の態様のデータ構造を使用して、動作、復号、受信するように構成されたアップリンク送信機構成要素６６１を含み得る。
【００４９】
[0059]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００５０】
[0060]ｅＮＢ６１０によって送信される基準信号またはフィードバックからのチャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５１】
[0061]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００５２】
[0062]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、制御信号処理、ヘッダ復元、復号、パケットリアセンブリ、トランスポートチャネルと論理チャネルとの間の多重分離を行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。コントローラ／プロセッサ６７５は、ｅＮＢ６１０の様々な動作（たとえば、図１２に関連して示される動作）を指示するかまたは行い得る。
【００５３】
[0063]いくつかの態様によれば、ＬＴＥコンパチブル超狭帯域設計通信（ＶＮＢ）（たとえば、狭帯域モノのインターネット（ＮＢ−ＩｏＴ））は、現在のＬＴＥ実装形態と比較して、送信時間間隔（ＴＴＩ）においてわずか単一のリソースブロック（ＲＢ）にわたる狭帯域送信の使用によって可能にされ得、それは６つのＲＢからなる少なくとも１．４ＭＨｚの帯域幅を必要とする。ＶＮＢ通信のために帯域幅を単一の１８０ＫＨｚ  ＲＢに制限することが、帯域幅要件を、現在のＬＴＥ実装形態のそれを下回って低減するために使用され得る。
【００５４】
[0064]現在のＬＴＥ実装形態は、その両方が少なくとも６つのＲＢを必要とする、ダウンリンク（ＤＬ）のためのＰＳＳ／ＳＳＳ／ＰＢＣＨのための６つの中心ＲＢと、アップリンクでのＲＡＣＨシグナリングとを利用するによって、キャリア同期補足およびアクセスを実行する。１つのＲＢを利用するシグナリングは、６つの中心ＲＢが使用されることを許さない。いくつかの場合には、ＰＳＳ／ＳＳＳ／ＰＢＣＨ／ＰＲＡＣＨブロードキャスト、制御およびデータシグナリングが、ＶＮＢ  １ＲＢシグナリングに完全に収まるように変更され得る。１ＲＢ信号は、図３に示されているように、１２個のサブキャリアを利用する１／２ｍｓスロットを利用し続け得る。
【００５５】
[0065]図７に示されているように、狭帯域フレーム構造７００は、既存のＬＴＥキャリアとは別個のキャリア上で搬送され得る。そのような例では、既存のＬＴＥ直交周波数分割多重（ＯＦＤＭ）のヌメロロジー（numerology）が再利用され得る。非同期補足（Non-acquisition）およびランダムアクセス信号も、ＶＮＢ  １ＲＢシグナリングに完全に基づいて行われ得る。ＶＮＢが広帯域ＬＴＥキャリアとは別個である場合、たとえば、ＶＮＢのロケーションがシグナルされ得る。
【００５６】
[0066]セル固有基準信号（ＣＲＳ）は、再利用され続け（たとえば、同じ初期化および／またはトーンロケーションが使用され得る）、低減されたキャリア帯域幅に基づいて１つのＲＢに収まるようにスケールバックされ得る。時分割多重化（ＴＤＭ）または周波数分割多重化（ＦＤＭ）が、（たとえば、ダウンリンクまたはアップリンクでの）ユーザ多重化のために利用され得る。ＴＤＭの場合、１つのＵＥが、ＲＢごとの単一の許可を用いて任意の時間にＲＢの１２個のトーンを占有し得る。ＦＤＭの下では、マルチプル（multiple）ＵＥがＲＢの１２個のトーンを共有し、各ＵＥはトーンのサブセットを割り当てられ得る。１つのＲＢのための複数の許可が、このサブセットを割り当てるために使用され得る。
【００５７】
[0067]また、ダウンリンク制御およびデータチャネルがまた多重化され得る。制御およびデータチャネルとの間のシンボルレベルＴＤＭが使用され得、ここで、物理ダウンリンク制御チャネル（ＰＤＣＣＨ）がサブフレームの数個のシンボルを占有し、シンボルの残りが物理ダウンリンク共有チャネル（ＰＤＳＣＨ）のために使用され得る。制御およびデータチャネルとの間のサブフレームレベルＴＤＭの場合、１つのサブフレームがＰＤＣＣＨに専用され得、後続のサブフレームがＰＤＳＣＨのために使用され得る。制御およびデータチャネルとの間のＦＤＭの場合、トーンのサブセットがＰＤＣＣＨのために使用され、トーンの残りがＰＤＳＣＨのために使用され得る。
【００５８】
[0068]ＰＤＣＣＨは、単一または複数のサブフレームにわたり、そしてＰＤＳＣＨと周波数および／または時間上でインターリーブされ得る。数個のシンボル（たとえば、４つのシンボル）のためのすべてのＲＥがＰＤＣＣＨのために使用され得る。代替的に、サブフレームのためのすべてのＲＥがＰＤＣＣＨのために使用され得る。
【００５９】
[0069]ＰＤＣＣＨ／ｅＰＤＣＣＨ  ＴＴＩバンドリングのためのカバレージ拡張が使用される場合、サブフレームのグループのためのすべてのＲＥはＰＤＣＣＨのために使用され得る。サブフレームごとに単一のＰＤＣＣＨのみがある場合、制御チャネル要素（ＣＣＥ）がないので探索空間はない。複数のＰＤＣＣＨがある場合、リソース要素グループ（ＲＥＧ）概念が適用され得、ここで、リソース要素のグループがＲＥＧにグループ化され得、ＲＥＧのセットがＣＣＥ探索空間にグループ化され得る。
【００６０】
[0070]チャネルコーディング、インターリービング、スクランブリング、変調および既存のＰＤＣＣＨ設計の他の態様は再利用され得る。ダウンリンク制御情報（ＤＣＩ）およびアップリンク制御情報（ＵＣＩ）フォーマット（たとえば、フォーマット０〜３）は、ＶＮＢによって占有される低減された帯域幅を考慮するためにペイロードサイズが低減され得ることを除いて、既存のＰＤＣＣＨシステムから再利用し得る。チャネルコーディング、インターリービング、スクランブリング、変調、およびＰＤＣＣＨの他の態様は、既存のＰＤＣＣＨシステムから不変のままであり得る。
【００６１】
[0071]ＰＤＳＣＨも、（たとえばＴＴＩバンドリングを用いて）単一または複数のサブフレームにわたり、そして周波数および／または時間上でインターリーブされ得る。復調基準信号（ＤＭ−ＲＳ）およびセル固有基準（ＣＲＳ）信号が、ＰＤＳＣＨのための復調のためにサポートされ得る。
【００６２】
[0072]コードブロックセグメンテーション、チャネルコーディング、インターリービング、スクランブリング、変調、およびＰＤＳＣＨ設計の他の態様も、ＬＴＥシステムの既存のＰＤＳＣＨから不変のままであり得る。さらに、畳み込み（たとえば、ビタビ復号器を介した）コードが、符号化のためにターボコードの代わりに使用され得る。ターボコードは、所与の複雑さについてより良い誤り訂正能力を有し得るが、ＶＮＢパケットのための極めて小さいペイロードが畳み込みコードをより好適にし得る。
【００６３】
[0073]アップリンク上で制御およびデータチャネルとを多重化することは、ＴＤＭを使用して実行され得る。ＰＵＣＣＨとＰＵＳＣＨとＰＲＡＣＨとの間のサブフレームレベルＴＤＭは、いくつかのサブフレームがＰＵＣＣＨまたはＰＲＡＣＨのために構成され、サブフレームの残りがＰＵＳＣＨのために利用可能であるように、実行され得る。
【００６４】
[0074]アップリンクでのサウンディング基準信号（ＳＲＳ）は、単一のＲＢ内のみで、短縮されたＰＵＳＣＨサブフレームをもつＬＴＥの場合のように構成され得る。コードブロックセグメンテーション、チャネルコーディング、インターリービング、スクランブリング、変調、およびＰＵＳＣＨ設計の他の態様は、既存のＰＵＳＣＨシステムから不変のままであり得る。さらに、ターボコードではなく、畳み込みコード（たとえば、ビタビ復号器を介した）が、ＰＵＳＣＨのために同じく使用され得る。ＰＵＣＣＨの場合、サブフレーム間の周波数再同調（frequency retuning）を用いてサブフレーム間ホッピングがサポートされる。サブフレーム内ホッピングはサポートされないことがある。ＰＵＣＣＨの他の態様は、既存のＰＵＣＣＨシステムから不変のままであり得る。
【００６５】
[0075]ＵＬ上では、ＰＵＣＣＨとＰＵＳＣＨとの間のＴＤＭは、固定再送信時間をもつ既存の同期ＨＡＲＱ設計を利用することを困難にする。場合によっては、非同期ＨＡＲＱがＰＵＳＣＨのために利用され得、ここで、再送信時間は許可に基づき得る。これは、再送信時間が、必要に応じて調整されることを可能にする。
【００６６】
[0076]さらに、図８に示されているように、狭帯域フレーム構造８００は、広帯域ＬＴＥキャリアのガードバンド中で搬送され得る。ＬＴＥ実装形態は、隣接するキャリア間の干渉からガードするためのキャリア間の無線スペクトルの使用されていない部分を含む。いくつかの場合には、このガードバンドがＶＮＢのために使用され得る。
【００６７】
[0077]いくつかの場合には、実装影響を最小限に抑え、コンパチビリティを保持するために、既存のＬＴＥキャリアを再利用することが望ましいことがある。既存のＬＴＥ  ＯＦＤＭヌメロロジーならびに既存のＰＤＣＣＨ、ＰＤＳＣＨ、ＰＵＳＣＨおよびＰＵＣＣＨの部分を共有することによって、ＶＮＢ設計（たとえば、ＮＢ−ＩｏＴ）は、既存のＬＴＥキャリア内に共存することが可能であり、実装問題を容易にするのを助け得る。たとえば、ＶＮＢ実装形態がＬＴＥキャリアと共存する場合、同期補足およびアクセスは現在のＬＴＥ技法に基づき得、接続されると、ＵＥはＶＮＢ動作に入り得る。これは、さもなければ信号同期補足およびアクセスのために使用され得る、ＶＮＢ上の帯域幅を解放する。別の例では、同期補足およびアクセスは、通常ＬＴＥシステムとは無関係に、完全にＶＮＢ−ＬＴＥのＲＢ中で搬送され得る。
【００６８】
[0078]図９および図１０は、広帯域ＬＴＥキャリア内の例示的な狭帯域フレーム構造９００および１０００を示す。図９では、広帯域ＬＴＥ内のＲＢのセット内のサブフレームのすべてがＶＮＢ９０２のために予約される。図１０では、ＲＢのサブフレームのサブセットのみがＶＮＢ１００２のために予約される。ＶＮＢが広帯域ＬＴＥキャリア内にある場合、たとえば、広帯域ＬＴＥキャリア内のＲＢオフセットが、たとえばＳＩＢによって、共通シグナリングの一部としてシグナリングされ得る。
【００６９】
[0079]ＶＮＢ  ＵＥは、広帯域ＬＴＥ内のＶＮＢの相対ロケーションを決定し、ＣＲＳシーケンスを解明するために、このＲＢオフセットを受信し得る。一態様では、ＣＲＳは再利用され続け得る。別の態様では、ＶＮＢ  ＣＲＳは、ＣＲＳとはわずかに異なり得る（たとえば、異なるシンボル、同じ初期化および／またはトーンロケーションを使用するなど）。同期補足およびアクセスのためにＬＴＥキャリアを使用することは、ＶＮＢがＬＴＥキャリア内に共存しないときでも実行され得る。たとえば、図７のＶＮＢは、ＬＴＥキャリアとは別個のキャリア上にあるが、ＬＴＥキャリアは、依然として、同期補足およびアクセスを与え、ＵＥをＶＮＢキャリアにダイレクトし得る。しかしながら、制御プレーンシグナリングは、既存のＬＴＥ実装形態との共存にもかかわらず、依然として、ＶＮＢ  １ＲＢシグナリングに基づいて実行され得る。
【００７０】
[0080]図１１は、本開示の態様による、ＬＴＥコンパチブル超狭帯域設計のための例示的な動作１１００を示す。動作１１００は、たとえば、ＵＥによって実行され得る。
【００７１】
[0081]動作１１００は、１１０２において開始し、ここで、ＵＥは、狭帯域領域中のリソースを識別し、狭帯域領域は、送信時間間隔（ＴＴＩ）においてわずか単一のリソースブロックにわたる。１１０４において、ＵＥは、識別されたリソースを使用して基地局と通信する。
【００７２】
[0082]図１２は、本開示の態様による、ＬＴＥコンパチブル超狭帯域設計のための例示的な動作１２００を示す。動作１２００は、たとえば、基地局（ＢＳ）によって実行され得る。動作１２００は、１２０２において開始し、ここで、ＢＳは、狭帯域領域中のリソースを識別し、狭帯域領域は、送信時間間隔（ＴＴＩ）においてわずか単一のリソースブロックにわたる。１２０４において、ＢＳは、識別されたリソースを使用して少なくとも１つのＵＥと通信する。
【００７３】
[0083]上記で説明された方法の様々な動作は、対応する機能を実行することが可能な任意の好適な手段によって実行され得る。手段（たとえば、識別するための手段、通信するための手段など）は、限定はしないが、回路、トランシーバ、アンテナ、特定用途向け集積回路（ＡＳＩＣ）、またはプロセッサを含む、（たとえば、図６のＵＥ６５０およびｅＮＢ６１０に関する）様々な（１つまたは複数の）ハードウェアおよび／またはソフトウェア構成要素および／またはモジュールを含み得る。概して、図に示されている動作がある場合、それらの動作は、任意の好適な対応するカウンターパートのミーンズプラスファンクション構成要素によって実行され得る。
【００７４】
[0084]開示されたプロセス中のステップの特定の順序または階層は、例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００７５】
[0085]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【００７６】
[0086]さらに、本明細書の開示に関して説明された様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００７７】
[0087]本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７８】
[0088]本明細書の開示に関して説明された方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＰＣＭ（相変化メモリ）、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７９】
[0089]１つまたは複数の例示的な設計では、説明された機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、フラッシュメモリ、ＰＣＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００８０】
[0090]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。本出願と添付の特許請求の範囲とで使用される冠詞「ａ」および「ａｎ」は、別段に規定されていない限り、または単数形を対象とすることが文脈から明らかでない限り、概して「１つまたは複数」を意味するものと解釈されるべきである。
【００８１】
[0091]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018524888.tif 000003
【図２】
2018524888.tif 000004
【図３】
2018524888.tif 000005
【図４】
2018524888.tif 000006
【図５】
2018524888.tif 000007
【図６】
2018524888.tif 000008
【図７】
2018524888.tif 000009
【図８】
2018524888.tif 000010
【図９】
2018524888.tif 000011
【図１０】
2018524888.tif 000012
【図１１】
2018524888.tif 000013
【図１２】
2018524888.tif 000014
【国際調査報告】
2018524888.tif 000015
2018524888.tif 000016